(57)【要約】【課題】  ＥＮＴの登録操作を容易化し、ＥＮＴ情報の管理効率を向上させ、加入者に対して複数の種類のサービスを提供が可能なＥＮＴの登録システムを提供する。【解決手段】  本発明によるＥＮＴの登録システムは、ＥＬＴはＥＮＴの登録処理を制御する制御部と、登録フレームを処理する登録処理部と、シリアル番号を記憶するシリアル番号保持部と、各ＥＮＴを識別する仮識別ＩＤを生成する仮識別ＩＤ生成部とを有し、ＥＮＴは、登録フレームを処理する登録処理部と、シリアル番号を記憶するシリアル番号保持部と、仮識別ＩＤが記憶される仮識別ＩＤ保持部とを有し、各ＥＮＴは、ＥＬＴから自装置がもつ仮識別ＩＤを含む登録フレームを受信すると、仮識別ＩＤ及びシリアル番号を含む登録フレームをＥＬＴに送信し、ＥＬＴは、受信した登録フレームからシリアル番号を取得することを特徴とする。【選択図】    図４
2005065063.tif 000002
【特許請求の範囲】
【請求項１】
加入者収容装置と複数の加入者回線終端装置が伝送路上のスターカプラを介して接続されるネットワークにおける加入者回線終端装置の登録システムであり、
前記加入者収容装置は、前記加入者回線終端装置の登録処理を制御する制御部と、登録フレームを送受信処理する登録処理部と、シリアル番号を記憶保持するシリアル番号保持部と、前記複数の加入者回線終端装置を識別するための仮識別ＩＤを生成する仮識別ＩＤ生成部とを有し、
前記加入者回線終端装置は、登録フレームを送受信処理する登録処理部と、予め割り当てられたシリアル番号を記憶保持するシリアル番号保持部と、前記仮識別ＩＤが記憶される仮識別ＩＤ保持部とを有し、
前記複数の加入者回線終端装置は、前記加入者収容装置から自装置がもつ仮識別ＩＤを含む登録フレームを受信すると、仮識別ＩＤ及びシリアル番号を含む登録フレームを前記加入者収容装置に送信し、
前記加入者収容装置は、受信した登録フレームからシリアル番号を取得することを特徴とする加入者回線終端装置の登録システム。  
【請求項２】
請求項１記載の加入者回線終端装置の登録システムにおいて、
前記加入者回線終端装置は、自装置の登録処理部が受信する登録フレームから登録モードを判定するモード判定部を有し、
前記モード判定部の判定結果が加入者収容装置側でシリアル番号を入力して行うシリアル番号アルゴリズムによる登録モードであった場合、
前記加入者回線終端装置の登録処理部はシリアル番号アルゴリズムで処理することを特徴とする加入者回線終端装置の登録システム。
【発明の詳細な説明】
【技術分野】
【０００１】
本発明は、イーサネット（Ｒ）パッシブ光ネットワーク（Ｅ−ＰＯＮ：Ethernet(R) Passive Optical Network）システムにおける光加入者回線終端装置（ＥＮＴ：Ethernet(R) Network Terminal）の登録システムに関するものである。
【背景技術】
【０００２】
光加入者アクセスシステムのひとつであるＥ−ＰＯＮシステムは、局内設置装置である光加入者収容装置（ＥＬＴ：Ethernet(R) Line Terminal)と、宅内設置装置である複数の加入者回線終端装置（ＥＮＴ：Ethernet(R) Network Terminal）から構成され、ＥＬＴと複数のＥＮＴ間が一芯光ファイバケーブルにて光カプラを介してスター状に接続される。各加入者への下り方向（ＥＬＴ→ＥＮＴ）トラヒックは全ＥＮＴに対して同報で送信され、ＬＬＩＤと呼ばれる論理リンクＩＤをイーサネット（Ｒ）フレームにヘッダとして付与することによりＥＮＴ識別される。各加入者からの上り方向（ＥＮＴ→ＥＬＴ）トラヒックは光カプラによりパッシブに多重されＥＬＴに収容される。上記ＬＬＩＤは、ＥＮＴ登録の際にＥＬＴからＥＮＴに付与されるものである。
【０００３】
一方、ネットワーク管理者は、装置監視制御システム（ＥＭＳ：Element(R) Management System）などによりＥ−ＰＯＮシステムの構成要素であるＥＮＴの制御、監視を行う必要がある。各ＥＮＴについてＥＭＳなどからＥＬＴに登録することによって、ＥＬＴからそのＥＮＴの接続動作が開始され、ＥＬＴとＥＮＴ間の登録手順によりＥＮＴの登録が完了する。
【０００４】
従来のＥＮＴ登録方法には、以下の方法がある。
方法１は、各ＥＮＴが保有するシリアル番号（ＳＮ）をオペレータが入力指定して、登録する方法である。方法２は、登録するＥＮＴ台数のみをオペレータが指定して、ＳＮを自動取得する方法である。
【０００５】
上記方法１の登録シーケンスを図６に示す。登録基本シーケンスとしては、どの方式においても同様であり、1)ＥＬＴ→ＥＮＴにDiscoveryフレーム送信、2)ＥＮＴ→ＥＬＴにRegister-RQフレーム送信、3)ＥＬＴ→ＥＮＴにRegisterフレーム送信、の手順にて実行される。
方法１は、オペレータから入力されたＳＮ情報をDiscoveryフレームに搭載してＥＮＴに送信し、該当するＥＮＴのみがRegister-Rqフレーム応答する方法である。ＥＬＴはＥＮＴからのRegister-Rqフレームを確認し、RegisterフレームにてＥＮＴにＬＬＩＤを付与し登録を完了する。
【０００６】
上記方法２の登録シーケンスを図７に示す。方法２は、ＳＮを指定せずにDiscoveryフレームを送信し、未登録でＬＬＩＤを取得していない全てのＥＮＴが応答する方法である。Register-RQフレームにはSN情報を搭載しており、ＥＬＴに通知される。ＥＬＴは複数受信したRegister-Rqフレームのうち、最初に受信したRegister-RQのＳＮを保持し、その情報を搭載したRegisterフレームによって、ＥＮＴにＬＬＩＤを付与し登録を完了する。それを繰り返すことにより、複数ＥＮＴの登録が完了する。なお、複数ＥＮＴからのRegister-Rq受信が同時になるケースを考慮したランダムロジックが必要になるがここでは省略する。
【特許文献１】特願平７−２５０８７０
【特許文献２】特願２００２−２９６４２３
【発明の開示】
【発明が解決しようとする課題】
【０００７】
しかし、従来の方法１はオペレータが登録時に１２桁のシリアル番号をキーボード等により入力しなければならない煩わしさがある。また、ネットワーク管理者によってはＥＮＴ登録オペレーションをあらかじめ実施する場合も多く、その場合、登録済みのシリアル番号のＥＮＴを倉庫等から探してその加入者に送付しなければならない管理上の問題があった。
【０００８】
方法２は、方法１の問題を解決し、シリアル番号を入力することを不要とした手段である。しかし、例えば、第１の加入者宅内にＳＮ＝ａのＥＮＴを、第２の加入者宅内にＳＮ＝ｂのＥＮＴを、同時に接続工事を実施した場合を想定すると、登録シーケンスにより、ＳＮ＝ａがＥＬＴにて取得できた際に、それが第１の加入者宅内に設置されたか、第２の加入者宅内に設置されたか、識別することができず、管理上の問題があった。また、上記管理上の問題から、加入者に対して複数の種類のサービスを提供することが困難であった。
【課題を解決するための手段】
【０００９】
かかる課題を解決するため、本発明によるＥ−ＰＯＮシステムの加入者回線終端装置の登録システムは、加入者収容装置と複数の加入者回線終端装置が伝送路上のスターカプラを介して接続されるネットワークにおける加入者回線終端装置の登録システムであり、加入者収容装置は、加入者回線終端装置の登録処理を制御する制御部と、登録フレームを送受信処理する登録処理部と、シリアル番号を記憶保持するシリアル番号保持部と、複数の加入者回線終端装置を識別するための仮識別ＩＤを生成する仮識別ＩＤ生成部とを有し、加入者回線終端装置は、登録フレームを送受信処理する登録処理部と、予め割り当てられたシリアル番号を記憶保持するシリアル番号保持部と、仮識別ＩＤが記憶される仮識別ＩＤ保持部とを有し、複数の加入者回線終端装置は、加入者収容装置から自装置がもつ仮識別ＩＤを含む登録フレームを受信すると、仮識別ＩＤ及びシリアル番号を含む登録フレームを前記加入者収容装置に送信し、加入者収容装置は、受信した登録フレームからシリアル番号を取得することを特徴とする。
【００１０】
また上記構成のＥ−ＰＯＮシステムの加入者回線終端装置の登録システムにおいて、加入者回線終端装置は、自装置の登録処理部が受信する登録フレームから登録モードを判定するモード判定部を有し、モード判定部の判定結果が加入者収容装置側でシリアル番号を入力して行うシリアル番号アルゴリズムによる登録モードであった場合、加入者回線終端装置の登録処理部はシリアル番号アルゴリズムで処理することを特徴とする。
【発明の効果】
【００１１】
発明の効果として、本発明の加入者回線終端装置の登録システムによれば、ＥＮＴ_ＩＤという新規パラメータを追加した登録フレームを用いて、登録シーケンスを授受し、ＥＮＴのＳＮを自動的に取得することができるようになったことで、背景技術で説明した方法１と比較し、ネットワーク管理者がＥＮＴ登録時に１２桁のＳＮをキーボード等により入力する必要がなくなり、ＥＮＴ登録時の操作が容易になった。また登録済みのＳＮのＥＮＴを倉庫から探して使用する必要がなくなり、ＥＮＴ管理が容易になった。
【００１２】
また背景技術で説明した方法２と比較し、応答するＥＮＴの対象を指定してDiscoveryを送信できるため、ＥＮＴ管理上の問題がなくなり、加入者に対して複数の種類のサービスを提供することが可能となる。
【００１３】
また上記加入者回線終端装置の登録システムのＥＮＴにモード判定部を設け、判定結果によりＥＮＴ登録処理を切換えることができるようになったため、上記説明した加入者回線終端装置の登録システムと合わせて、今後も使用されるケースがある背景技術で説明した方法１も使用することができる。よって、ＥＮＴ側は特別な保守操作を行うことなく、自動的に２つの登録モードに対応して動作することができる。
【発明を実施するための最良の形態】
【００１４】
以下に、実施例を示す。
【実施例１】
【００１５】
以下、本発明による加入者回線終端装置の登録システムの実施例１は、図１〜図４を用いて説明される。
図１はイーサネット（Ｒ）パッシブ光ネットワーク（Ｅ−ＰＯＮ）システムを示すシステム構成図である。図２は本発明による加入者収容装置（ＥＬＴ）の構成を示すブロック図である。図３は本発明による実施例１の加入者回線終端装置（ＥＮＴ）の構成を示すブロック図である。図４は本発明による加入者収容装置（ＥＬＴ）と加入者回線終端装置（ＥＮＴ）間の信号シーケンスを示すシーケンス図である。
【００１６】
図１に示すようにＥ−ＰＯＮシステムは、ＥＬＴ１と複数のＥＮＴ２がスターカプラ３を介して、一芯光ファイバケーブル４によりスター配線で接続される。また従来と同様に、各加入者への下り方向（ＥＬＴ→ＥＮＴ）トラヒックは、全ＥＮＴ２に対して同報で送信され、各加入者からの上り方向（ＥＮＴ→ＥＬＴ）トラヒックは、スターカプラ３によりパッシブに多重されＥＬＴ１に収容される。
【００１７】
次に図２を用いて本発明によるＥＬＴ１の構成について説明する。図２に示すようにＥＬＴ１は、登録処理部（ここで登録処理部とは、Ｅ−ＰＯＮインタフェース終端部１１、登録フレーム受信部１２、登録フレーム送信部１３、登録フレーム処理部１４のことである。）、シリアル番号保持部（ＳＮ保持部）１５、仮識別ＩＤ生成部（ＥＮＴ_ＩＤ生成部）１６、論理リンクＩＤ管理部（ＬＬＩＤ管理部）１７、制御部１８から構成される。
【００１８】
まずＥＬＴ１の登録処理部の各機能部について説明する。Ｅ−ＰＯＮインタフェース終端部１１は、Ｅ−ＰＯＮインタフェース機能を有し、一芯光ファイバケーブル４からなる伝送路上を、スターカプラ３を介してＥＮＴ２に接続される。登録フレーム受信部１２はＥＮＴ２からＥＮＴ登録のために送信される登録フレームを、Ｅ−ＰＯＮインタフェース終端部１１を介して受信する。登録フレーム送信部１３は登録フレームをＥ−ＰＯＮインタフェース終端部１１を介してＥＮＴ２に送信する。登録フレーム処理部１４は、所定のアルゴリズムによって、受信した登録フレームの解析処理を行ったり、送信するための登録フレームの生成処理を行い、またＳＮ保持部１５、ＥＮＴ_ＩＤ生成部１６、ＬＬＩＤ管理部１７の起動を制御する。
【００１９】
さらにＥＬＴ１の登録処理部以外の各機能部について説明する。ＳＮ保持部１５は、各ＥＮＴ２がもつそれぞれ固有のシリアル番号を記憶保持する機能部であり、ＥＮＴ２から送信される登録フレームに含まれる情報からシリアル番号を記憶保持する。ＥＮＴ_ＩＤ生成部１６は、各ＥＮＴ２を識別するための仮識別ＩＤ（ＥＮＴ_ＩＤ）を生成する。実施例１では、ＥＮＴ_ＩＤは１〜Ｎまでの連続した番号とする。論理リンクＩＤ管理部１７は、データ通信を行うときに各ＥＮＴ２を識別するためにフレームにヘッダとして付与される論理リンクＩＤ（ＬＬＩＤ）情報を管理する。制御部１８は、ネットワーク管理者が操作する制御監視装置１９からの要求に応じてＥＮＴ登録の処理動作を制御する。ネットワーク管理者は、各ＥＮＴ_ＩＤと各ＥＮＴに付与された固有名称の組み合わせで加入者管理することになる。
【００２０】
次に図３を用いて本発明による実施例１のＥＮＴ２の構成を説明する。図３に示すようにＥＮＴ２は、登録処理部（ここで登録処理部とは、Ｅ−ＰＯＮインタフェース終端部２１、登録フレーム受信部２２、登録フレーム送信部２３、登録フレーム処理部２４のことである。）、シリアル番号保持部（ＳＮ保持部）２５、仮識別ＩＤ保持部（ＥＮＴ_ＩＤ保持部）２６、論理リンクＩＤ保持部（ＬＬＩＤ保持部）２７から構成される。
【００２１】
まずＥＮＴ２の登録処理部の各機能部について説明する。Ｅ−ＰＯＮインタフェース終端部２１は、Ｅ−ＰＯＮインタフェース機能を有し、一芯光ファイバケーブル４からなる伝送路上をスターカプラ３を介してＥＬＴ１に接続される。登録フレーム受信部２２はＥＬＴ１からＥＮＴ登録をするために送信される登録フレームをＥ−ＰＯＮインタフェース終端部２１を介して受信する。登録フレーム送信部２３は登録フレームをＥ−ＰＯＮインタフェース終端部２１を介してＥＬＴ１に送信する。登録フレーム処理部２４は、所定のアルゴリズムで受信した登録フレームの解析処理を行ったり、送信するための登録フレームの生成処理を行い、またＳＮ保持部２５、ＥＮＴ_ＩＤ保持部２６、ＬＬＩＤ保持部２７の起動を制御する。
【００２２】
さらにＥＮＴ２の登録処理部以外の各機能部について説明する。ＳＮ保持部２５は、各ＥＮＴ２がもつそれぞれ固有のシリアル番号を記憶保持する機能部であり、ＥＬＴ１から送信される登録フレームに含まれる情報のシリアル番号を記憶保持する。ＥＮＴ_ＩＤ保持部２６は、仮識別ＩＤ設定部（ＥＮＴ_ＩＤ設定部）２８とのインタフェース機能を有し、ＥＮＴ_ＩＤ設定部２８から設定される各ＥＮＴを識別するための仮識別ＩＤ（ＥＮＴ_ＩＤ）を記憶保持する。もちろんＥＮＴ_ＩＤは１〜Ｎまでの連続した番号である。ＬＬＩＤ保持部２７は、データ通信を行うときに各ＥＮＴ２を識別するためにフレームにヘッダとして付与される論理リンクＩＤ情報を記憶保持する。ＥＮＴ_ＩＤ設定部２８は、ＥＮＴ設置時に、各ＥＮＴ２内部のＥＮＴ_ＩＤ保持部２６に対してＥＮＴ_ＩＤを設定する。ＥＮＴ_ＩＤ設定部２８には、例えばディップスイッチやロータリースイッチ等が用いられ、ＥＮＴ_ＩＤが設定される。
【００２３】
以下、図４を用いてＥＬＴ１とＥＮＴ２間で行われるＥＮＴ登録の動作を説明する。図４に示されるDiscovery、Register-RQ、Registerは、ＥＮＴ登録をするための登録フレームを表わす信号である。Discoveryは、ＥＬＴ１とＥＮＴ２間のメッセージ交換を開始するにあたりＥＬＴ１から送信されるＥＮＴゲート信号である。Register-RQは、Discoveryを受信したＥＮＴ２がＥＬＴ１に対して応答する信号である。Registerは、ＥＮＴ２がＥＬＴ１に対して論理リンクＩＤ（ＬＬＩＤ）を通知する信号である。
【００２４】
ＥＬＴ１は、制御監視装置１９から制御部１８を介してＥＮＴ登録の要求を受信すると、シリアル番号（ＳＮ）を指定せずに、例えば仮識別ＩＤ（ＥＮＴ_ＩＤ）を４と指定してDiscoveryフレームをＳＮ及びＥＮＴ_ＩＤが設定されている各ＥＮＴ２に同報で送信する。図４では各ＥＮＴ２毎に、それぞれ固有のａ〜ＭのＳＮ、連続した１〜ＮのＥＮＴ_ＩＤが設定されている。
Discoveryを受信したＥＮＴ２はDiscoveryフレームに含まれるＥＮＴ_ＩＤと自ＥＮＴに設定されているＥＮＴ_ＩＤが一致する場合、該ＥＮＴ_ＩＤ（ＥＮＴ_ＩＤ＝４）及び自ＥＮＴに設定されているＳＮ（ＳＮ＝ｄ）を指定してRegister-RQをＥＬＴ１に対して送信する。
【００２５】
Register-RQを受信したＥＬＴ１は、Discoveryを送信するときに指定したＥＮＴ_ＩＤとRegister-RQに含まれるＥＮＴ_ＩＤの一致照合をし、ＳＮを取得する。ＳＮを取得したＥＬＴ１は、ＳＮをｄ、任意の論理リンクＩＤ（ＬＬＩＤ）をαと指定してRegisterをＥＮＴ２に送信する。
Registerを受信したＥＮＴ２は、自ＥＮＴ２に設定されたＳＮとRegisterに含まれるＳＮが一致した場合、ＬＬＩＤを記憶保持する。これにより自動的にＥＮＴ登録が完了するが、ＥＮＴ登録がされていないＥＮＴ２が残っていれば、継続してＥＮＴ登録が可能である。
【実施例２】
【００２６】
実施例２では、Ｅ−ＰＯＮシステム構成やＥＬＴ１の構成等は上記実施例１と同様であるため、同様の説明については省略し、特徴となる構成を図５を用いて詳細に説明する。図５は実施例２の加入者回線終端装置（ＥＮＴ）の構成を示すブロック図である。
図５に示すように、ＥＮＴ２は実施例１と同様にＥ−ＰＯＮインタフェース終端部２１、登録フレーム受信部２２、登録フレーム送信部２３、登録フレーム処理部２４を有し、またＳＮ保持部２５、ＥＮＴ_ＩＤ保持部２６、ＬＬＩＤ保持部２７を有する。
【００２７】
さらにＥＮＴ２は、実施例２の特徴となるモード判定部３１、シリアル番号モード起動部（ＳＮモード起動部）３２、仮識別ＩＤモード起動部（ＥＮＴ_ＩＤモード起動部）３３、セレクタ３４を有している。
モード判定部３１は、ＥＬＴ１から受信する登録フレームからＥＬＴ１の登録モードを検出し、検出結果を送信する。ＳＮモード起動部３２は、ＳＮモードアルゴリズムで登録フレーム処理をさせる。ＥＮＴ_ＩＤモード起動部３３は、ＥＮＴ_ＩＤモードアルゴリズムで登録フレーム処理をさせる。セレクタ３４は、モード判定部３１の判定結果により、ＳＮモード起動部３２またはＥＮＴ_ＩＤモード起動部３３を起動させる。
【００２８】
次に実施例２の特徴となるＥＮＴにおける登録モード判定の動作を説明する。ＥＬＴ１は図４に示したようなＥＮＴ登録処理を行うＥＮＴ_ＩＤモードアルゴリズムあるいは、従来の方法１として説明したＥＮＴ登録方法であるDiscoveryにＥＮＴ_ＩＤを用いず、最初からＳＮを指定して行うＥＮＴ登録処理を行うＳＮモードアルゴリズムによってＥＮＴ登録を開始する。いずれの登録処理にしても、Discoveryを受信したＥＮＴ２では、モード判定部３１がDiscoveryフレームにＳＮが指定されていればＳＮモードと判定をし、ＥＮＴ_ＩＤが指定されていればＥＮＴ_ＩＤモードと判定をし、その判定結果をセレクタ３４に送信する。セレクタ３４はモード判定部３１の判定結果がＳＮモードであればＳＮモード起動部３２を起動させ、判定結果がＥＮＴ_ＩＤモードであれば、ＥＮＴ_ＩＤモード起動部３３を起動させ、いずれかの起動部からの起動情報を登録フレーム処理部２４に送信する。登録フレーム処理部２４は、受信した起動情報からこのＳＮモード起動部３２またはＥＮＴ_ＩＤ起動部３３のもつアルゴリズムに基づいて登録フレームの処理を行う。
【００２９】
また本発明による実施例１及び実施例２の説明では、Ｅ−ＰＯＮシステムにおける加入者回線終端装置の登録システムを例に示したが、Ｅ−ＰＯＮインタフェース終端部１１，２１をＡ−ＰＯＮインタフェース終端部に換えて、Ａ−ＰＯＮシステムにおける加入者回線終端装置の登録システムに利用することも可能である。
【図面の簡単な説明】
【００３０】
【図１】Ｅ−ＰＯＮシステムを示すシステム構成図
【図２】本発明によるＥＬＴの構成を示すブロック図
【図３】本発明による実施例１のＥＮＴの構成をを示すブロック図
【図４】本発明によるＥＬＴとＥＮＴ間の信号シーケンスを示すシーケンス図
【図５】本発明による実施例２のＥＮＴの構成を示すブロック図
【図６】従来の方法１のＥＬＴとＥＮＴ間の信号シーケンスを示すシーケンス図
【図７】従来の方法２のＥＬＴとＥＮＴ間の信号シーケンスを示すシーケンス図
【符号の説明】
【００３１】
１…加入者収容装置
２…加入者回線終端装置
３…スターカプラ
４…一芯光ファイバケーブル
１１，２１…Ｅ−ＰＯＮインタフェース終端部
１２，２２…登録フレーム受信部
１３，２３…登録フレーム送信部
１４，２４…登録フレーム処理部
１５，２５…ＳＮ保持部
１６…ＥＮＴ_ＩＤ生成部
１７…ＬＬＩＤ管理部
２６…ＥＮＴ_ＩＤ保持部
２７…ＬＬＩＤ保持部
３１…モード判定部
３２…ＳＮモード起動部
３３…ＥＮＴ_ＩＤモード起動部
３４…セレクタ
【図１】
2005065063.tif 000003
【図２】
2005065063.tif 000004
【図３】
2005065063.tif 000005
【図４】
2005065063.tif 000006
【図５】
2005065063.tif 000007
【図６】
2005065063.tif 000008
【図７】
2005065063.tif 000009